【事件の表示】
　上記当事者間の特許第３２８５０３０号発明「電気掃除機」の特許無効審判事件について、次のとおり審決する。
【結　論】
　訂正を認める。
　本件審判の請求は、成り立たない。
　審判費用は、請求人の負担とする。
【理　由】
第１　手続の経緯
１．本件特許第３２８５０３０号の請求項１、２及び５〜７に係る発明（以下「本件特許発明１、２及び５〜７」という。）についての出願は、平成１２年３月１日に出願した特願２０００−５５２７９号の一部を平成１２年１０月２０日に新たな特許出願としたものであって、平成１４年３月８日にその発明について特許権の設定登録がなされた。
２．請求人　ダイソン　テクノロジー　リミテッドは、平成２４年１２月１４日に、請求項請求項１、２及び５〜７に係る特許を無効とすることを求めて、本件特許無効審判を請求した。
３．被請求人　パナソニック株式会社は、平成２５年３月８日に答弁書を提出するとともに、同日付けで明細書の訂正を請求した。
４．請求人は、平成２５年５月３１日付けで弁駁書を提出した。
５．当審は、平成２５年６月１９日付けで両当事者に審理事項を通知した。
６．被請求人は、平成２５年７月１７日付けで口頭審理陳述要領書を提出した。
７．請求人は、平成２５年７月１９日付け及び平成２５年８月２日付けで口頭審理陳述要領書を提出した。
８．平成２５年８月２日に第１回口頭審理を行った。
　
第２　訂正請求
１．訂正の内容
　被請求人により平成２５年３月８日付けで請求された訂正（以下「本件訂正」という。）の内容は、本件特許発明の明細書（以下「特許明細書」という。）を平成２５年３月８日付けで提出した訂正した明細書（以下「本件訂正明細書」という。）のとおりに訂正しようとするものである。すなわち、以下のとおりである。
　
（１）請求項１及び２からなる一群の請求項に係る訂正（以下「本件訂正１」という。）
（訂正事項１）
　特許明細書の特許請求の範囲の請求項１について、「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記掃除機本体の車輪を転がり面とし、掃除機本体が前記転がり面が床面に接するよう傾いても、前記一対の車輪が床面に接地する方向に掃除機本体が回動して元に戻るように掃除機本体の重心を設けた電気掃除機。」とある記載を、
「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記
一対
は、第１の
を有し、前記掃除機本体は、第２の転がり面を有し、前記
、
第１の
又は前記第２の転がり面
前記
前記
（訂正事項２）
　特許明細書の特許請求の範囲の請求項２について、「掃除機本体の移動方向に直行する面で前記掃除機本体と車輪から形成される断面形状を、略円形又は略楕円形とした請求項１記載の電気掃除機。」とある記載を、
「
前記
交
前記一対の
（訂正事項３）
　特許明細書の段落【００１０】に「本発明の請求項１に記載の発明は、吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記掃除機本体の車輪を転がり面とし、掃除機本体が前記転がり面が床面に接するよう傾いても、前記一対の車輪が床面に接地する方向に掃除機本体が回動して元に戻るように掃除機本体の重心を設けたものであり、掃除機本体が横転しにくく、かつ横転しても車輪が床面接地側になるように掃除機本体が回動して元に戻ることができ、しかも、小型、軽量で、かつ使い勝手のよい電気掃除機を得ることができる。」とある記載を、「本発明の請求項１に記載の発明は、吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記
一対
は、第１の
を有し、前記掃除機本体は、第２の転がり面を有し、前記
、
第１の
又は前記第２の転がり面
前記
前記
（訂正事項４）
　特許明細書の段落【００１１】に「請求項２に記載の発明は、上記請求項１に記載の発明において、掃除機本体の移動方向に直行する面で前記掃除機本体と車輪から形成される断面形状を、略円形又は略楕円形としたもので、掃除機本体を進行方向に対して長手方向に長くしても、掃除機本体の側面に設けた転がり面にて回動することができる。」とある記載を、「請求項２に記載の発明は、上記請求項１に記載の発明において、
前記
交
前記一対の
（訂正事項５）
　特許明細書の段落【００７４】に「以上のように本発明の請求項１に記載の発明によれば、吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記掃除機本体の車輪を転がり面とし、掃除機本体が前記転がり面が床面に接するよう傾いても、前記一対の車輪が床面に接地する方向に掃除機本体が回動して元に戻るように掃除機本体の重心を設けたものであり、掃除機本体が横転しにくく、かつ横転しても車輪が床面接地側になるように掃除機本体が回動して元に戻ることができ、しかも、小型、軽量で、かつ使い勝手のよい電気掃除機を得ることができる。」とある記載を、「以上のように本発明の請求項１に記載の発明によれば、吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記
一対
は、第１の
を有し、前記掃除機本体は、第２の転がり面を有し、前記
、
第１の
又は前記第２の転がり面
前記
前記
（訂正事項６）
　特許明細書の段落【００７５】に「また、請求項２に記載の発明によれば、掃除機本体の移動方向に直行する面で前記掃除機本体と車輪から形成される断面形状を、略円形又は略楕円形としたもので、掃除機本体を進行方向に対して長手方向に長くしても、掃除機本体の側面に設けた転がり面にて回動することができる。」とある記載を、「また、請求項２に記載の発明によれば、
前記
交
前記一対の
　
（２）請求項５及び７からなる一群の請求項に係る訂正（以下「本件訂正２」という。）
（訂正事項１）
　特許明細書の特許請求の範囲の請求項５について、「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に床面移動用の一対の車輪を備え、前記掃除機本体の車輪を転がり面とし、掃除機本体が前記転がり面が床面に接するよう傾いても、前記一対の車輪が床面に接地する方向に掃除機本体が回動するように掃除機本体の重心を設け、前記転がり面と掃除機本体から形成される形状を略球形状または略球状の多面体にした電気掃除機。」とある記載を、
「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に
設けた
一対
前記
前記
前記
前記
外郭
（訂正事項２）
　特許明細書の特許請求の範囲の請求項７について、「掃除機本体両側面に回転軸心を内側に向かって床面と略水平より上方に傾斜させ、断面形状が略半球面状または略半球面状の多面体からなる車輪にて構成した請求項５または６記載の電気掃除機。」とある記載を、
「
前記
５記
（訂正事項３）
　特許明細書の段落【００１４】に「請求項５に記載の発明は、吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に床面移動用の一対の車輪を備え、前記掃除機本体の車輪を転がり面とし、掃除機本体が前記転がり面が床面に接するよう傾いても、前記一対の車輪が床面に接地する方向に掃除機本体が回動するように掃除機本体の重心を設け、前記転がり面と掃除機本体から形成される形状を略球形状または略球状の多面体にしたもので、掃除機本体の側面のみならず、あらゆる方向に掃除機本体が傾いても、車輪が床面接地する方向に掃除機本体が回動することができる。ここでいう略球形状とは、完全な球体でなくてもよく、さらにその一部が略球形状と異なっても、掃除機本体が傾斜あるいは転倒した場合に床面接地側に回動する構成を有していればよい。」とある記載を、「請求項５に記載の発明は、吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に
設けた
一対
前記
前記
前記
前記
外郭
（訂正事項４）
　特許明細書の段落【００１６】に「請求項７に記載の発明は、上記請求項５または６に記載の発明において、掃除機本体両側面に回転軸心を内側に向かって床面と略水平より上方に傾斜させ、断面形状が略半球面状または略半球面状の多面体からなる車輪にて構成したものであり、車輪を大型化することなく掃除機本体が傾いた状態でも走行することができる。」とある記載を、「請求項７に記載の発明は、上記請求項
５に
前記
（訂正事項５）
　特許明細書の段落【００７８】に「また、請求項５に記載の発明によれば、吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に床面移動用の一対の車輪を備え、前記掃除機本体の車輪を転がり面とし、掃除機本体が前記転がり面が床面に接するよう傾いても、前記一対の車輪が床面に接地する方向に掃除機本体が回動するように掃除機本体の重心を設け、前記転がり面と掃除機本体から形成される形状を略球形状または略球状の多面体にしたもので、掃除機本体の側面のみならず、あらゆる方向に掃除機本体が傾いても、車輪が床面接地する方向に掃除機本体が回動することができる。ここでいう略球形状とは、完全な球体でなくてもよく、さらにその一部が略球形状と異なっても、掃除機本体が傾斜あるいは転倒した場合に床面接地側に回動する構成を有していればよい。」とある記載を、「また、請求項５に記載の発明によれば、吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に
設けた
一対
前記
前記
前記
前記
外郭
（訂正事項６）
　特許明細書の段落【００８０】に「また、請求項７に記載の発明によれば、掃除機本体両側面に回転軸心を内側に向かって床面と略水平より上方に傾斜させ、断面形状が略半球面状または略半球面状の多面体からなる車輪にて構成したから、車輪を大型化することなく掃除機本体が傾いた状態でも走行することができる。」とある記載を、「また、請求項７に記載の発明によれば、
前記
　
（３）請求項６に係る訂正（以下「本件訂正３」という。）
（訂正事項１）
　特許明細書の特許請求の範囲の請求項６について、「掃除機本体の少なくとも上面に把手等の突出体を形成し、前記突出体を含む掃除機本体と車輪から形成される外郭形状が略球形状または略球形状の多面体となるようにした請求項５記載の電気掃除機。」とある記載を、「
吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とし、前記掃除機本体が前記転がり面が床面に接するよう傾いても、前記一対の車輪が床面に接地する方向に前記掃除機本体が回動するように前記掃除機本体の重心を設け、前記転がり面と前記掃除機本体から形成される外郭形状を略球形状または略球状の多面体にし、前記
前記突出体は、前記一対の車輪にて形成される略球形状の外郭線近傍に位置し、
前記一対の
前記
た電
（訂正事項２）
　特許明細書の段落【００１５】に「請求項６に記載の発明は、上記請求項５に記載の発明において、掃除機本体の少なくとも上面に把手等の突出体を形成し、前記突出体を含む掃除機本体と車輪から形成される外郭形状が略球形状または略球形状の多面体となるようにしたものであり、掃除機本体を大きくすることなく、突出体を把手部等に形成することができる。」とある記載を、「請求項６に記載の発明は、
吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とし、前記掃除機本体が前記転がり面が床面に接するよう傾いても、前記一対の車輪が床面に接地する方向に前記掃除機本体が回動するように前記掃除機本体の重心を設け、前記転がり面と前記掃除機本体から形成される外郭形状を略球形状または略球状の多面体にし、前記
前記突出体は、前記一対の車輪にて形成される略球形状の外郭線近傍に位置し、
前記一対の
前記
電気掃除機
（訂正事項３）
　特許明細書の段落【００７９】に「また、請求項６に記載の発明によれば、掃除機本体の少なくとも上面に把手等の突出体を形成し、前記突出体を含む掃除機本体と車輪から形成される外郭形状が略球形状または略球形状の多面体となるようにしたものであり、掃除機本体を大きくすることなく、突出体を把手部等に形成することができる。」とある記載を、「また、請求項６に記載の発明によれば、
吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とし、前記掃除機本体が前記転がり面が床面に接するよう傾いても、前記一対の車輪が床面に接地する方向に前記掃除機本体が回動するように前記掃除機本体の重心を設け、前記転がり面と前記掃除機本体から形成される外郭形状を略球形状または略球状の多面体にし、前記
前記突出体は、前記一対の車輪にて形成される略球形状の外郭線近傍に位置し、
前記一対の
前記
　
２．訂正の適否について
（１）本件訂正１について
ア．（訂正事項１）について
（ア）訂正事項１のうち、「前記掃除機本体の車輪」を「前記
一対
（イ）訂正事項１のうち、「掃除機本体」を「
前記
（ウ）訂正事項１のうち、「前記掃除機本体の車輪を転がり面とし」を「前記
一対
は、第１の
を有し、前記掃除機本体は、第２の転がり面を有し
第１の
掃除機本体
第２の転がり面を有
（エ）また、訂正事項１は、「掃除機本体が前記転がり面が床面に接するよう傾いても、前記一対の車輪が床面に接地する方向に掃除機本体が回動して元に戻るように掃除機本体の重心を設けた」を「
前記
、
第１の
又は前記第２の転がり面
前記
前記
　まず、上記（ウ）で摘示したとおり、訂正後の請求項１の発明特定事項は「前記
一対
は、第１の
を有し、前記掃除機本体は、第２の転がり面を有
　そして、明細書の段落【００２４】〜【００２６】には「上記構成において、図５に示すように、掃除機本体２０の重心を車輪２７の第１の転がり面３６や右側本体３３又は左側本体３４の第２の転がり面３７が床面に接した状態で、車輪２７の床面接地ポイント３５ａが床面側に回動するように、掃除機本体２０の重心Ｇ４０を掃除機本体２０の略中心線４１近傍で、かつ転がり面３７の接地部からの法線４２との交点４３より掃除機本体２０の底面４４側に設けている。
　・・・（中略）・・・
　掃除機本体２０が第１の転がり面３６又は第２の転がり面３７が床面に接するように傾いた場合でも、車輪２７の床面接地ポイント３５ａが床面接地側に回動するように掃除機本体２０の重心Ｇ４０を設けたことにより、図４に示すように、いずれか一方の車輪２７が床面から浮いた状態になっても掃除機本体２０が横転することなく矢印イ側に回動するものであり、また、図５に示すように、仮に横転しても重心Ｇ４０が図示の位置にあるため矢印ロ方向に回動し、車輪２７の床面接地ポイント３５ａが床面接地側になる。」と記載され、図４に第１の転がり面３６が床面に接する様子が、図５に第２の転がり面が床面に接する様子が図示されている。
　上記記載及び図示内容は、掃除機本体２０は第１の転がり面３６又は第２の転がり面３７が床面に接するように傾くものであるとともに、そのどちらの転がり面が床面に接するように傾いた場合でも、車輪２７の床面接地ポイント３５ａが床面接地側に回動するように掃除機本体２０の重心Ｇ４０を設けたものと解されるので、上記記載を参酌すると請求項１の「前記掃除機本体が、前記第１の転がり面又は前記第２の転がり面が床面に接するよう傾いても、前記一対の車輪が床面に接地する方向に前記掃除機本体が回動して元に戻るように前記掃除機本体の重心を設けた」とは、ともに設けられた第１の転がり面と第２の転がり面のどちらか一方が床面に接するように傾いても、「前記一対の車輪が床面に接地する方向に前記掃除機本体が回動して元に戻るように前記掃除機本体の重心を設けた」と解される。
　よって、車輪の「前記転がり面が床面に接するよう傾いても」、「前記一対の車輪が床面に接地する方向に掃除機本体が回動して元に戻る」ことに加え、掃除機本体の「第２の転がり面が床面に接するよう傾いても」、「前記一対の車輪が床面に接地する方向に前記掃除機本体が回動して元に戻る」ものであるから、特許請求の範囲の減縮を目的とするものである。
　また、明細書の段落【００２４】〜【００２６】や図４、５に記載されることから、特許明細書に記載した事項の範囲内でするものである。
（オ）上記（ア）〜（エ）で述べたように、訂正事項１は、明瞭でない記載の釈明又は特許請求の範囲の減縮を目的とするものである。
　また、訂正事項１は特許明細書に記載した事項の範囲内でするものと認められる。
　さらに、実質上特許請求の範囲を拡張し、又は変更するものではない。
　
イ．（訂正事項２）について
（ア）訂正事項２のうち、「掃除機本体」を「
前記
（イ）訂正事項２のうち、「車輪」を「
前記一対の
（ウ）訂正事項２のうち、「直行」を「直
交
　そうすると、当該訂正は誤記の訂正を目的とするものであり、特許明細書に記載した事項の範囲内でするものである。
（エ）上記（ア）〜（ウ）で述べたように、訂正事項２は  明瞭でない記載の釈明又は誤記の訂正を目的とするものであって、特許明細書に記載した事項の範囲内でするものと認められる。
　さらに、実質上特許請求の範囲を拡張し、又は変更するものではない。
　
ウ．（訂正事項３）〜（訂正事項６）について
　訂正事項３〜６は、明細書の発明の詳細な説明の段落【００１０】、【００１１】、【００７４】及び【００７５】の記載を、訂正後の特許請求の範囲の請求項１及び２の記載に整合させるものであるから、明瞭でない記載の釈明を目的とするものである。
　また、訂正事項３〜６は特許明細書に記載した事項の範囲内でするものと認められる。
　さらに、実質上特許請求の範囲を拡張し、又は変更するものではない。
　
エ．まとめ
　以上ア．〜ウ．で述べたとおりであるから、本件訂正１は、特許法第１３４条の２第１項第１、２又は３号に該当し、同条第９項で準用する同法第１２６条第５及び６項の規定に適合するので、当該訂正を認める。
　
（２）本件訂正２について
ア．（訂正事項１）について
（ア）訂正事項１のうち、「前記掃除機本体の車輪」を「前記
一対
（イ）訂正事項１のうち、「掃除機本体」を「
前記
（ウ）訂正事項１のうち、「前記掃除機本体の側面に床面移動用の一対の車輪を備え」を「前記掃除機本体の側面に
設けた
　そして、明細書の段落【００１８】に「掃除機本体２０の両側面には移動用の車輪２７を回転自在に設けている。」と記載されているから、特許明細書に記載した事項の範囲内でするものである。
（エ）訂正事項１のうち、「前記転がり面と掃除機本体から形成される形状を略球形状または略球状の多面体にした」を「前記転がり面と
前記
外郭
　そして、明細書の段落【００２２】に、「さらに、掃除機本体２０は、図３に示すように、その断面形状が略球形状であり、右側本体３３及び左側本体３４の外郭形状の一部となっている。車輪２７も同様に略球形状を外郭形状に有している。」と記載されているから、特許明細書に記載した事項の範囲内でするものである。
（オ）上記（ア）〜（エ）で述べたように、訂正事項１は、明瞭でない記載の釈明を目的とするものである。
　また、訂正事項１は特許明細書に記載した事項の範囲内でするものと認められる。
　さらに、実質上特許請求の範囲を拡張し、又は変更するものではない。
　
イ．（訂正事項２）について
　訂正事項２のうち、「掃除機本体」を「
前記
　訂正事項２のうち、「請求項５または６記載の電気掃除機」を「請求項
５記
　そうすると、訂正事項２は、明瞭でない記載の釈明又は特許請求の範囲の減縮を目的とするものである。
　また、訂正事項２は特許明細書に記載した事項の範囲内でするものと認められる。
　さらに、実質上特許請求の範囲を拡張し、又は変更するものではない。
　
ウ．（訂正事項３）〜（訂正事項６）について
　訂正事項３〜６は、明細書の発明の詳細な説明の段落【００１４】、【００１６】、【００７８】及び【００８０】の記載を、訂正後の特許請求の範囲の請求項５及び７の記載に整合させるものであるから、明瞭でない記載の釈明を目的とするものである。
　また、訂正事項３〜６は特許明細書に記載した事項の範囲内でするものと認められる。
　さらに、実質上特許請求の範囲を拡張し、又は変更するものではない。
　
エ．まとめ
　以上ア．〜ウ．で述べたとおりであるから、本件訂正２は、特許法第１３４条の２第１項第１、２又は３号に該当し、同条第９項で準用する同法第１２６条第５及び６項の規定に適合するので、当該訂正を認める。
　
（３）本件訂正３について
ア．（訂正事項１）について
（ア）訂正事項１のうち、「請求項５記載の電気掃除機」を「電気掃除機」と請求項５の引用を削除し、「
吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とし、前記掃除機本体が前記転がり面が床面に接するよう傾いても、前記一対の車輪が床面に接地する方向に前記掃除機本体が回動するように前記掃除機本体の重心を設け、前記転がり面と前記掃除機本体から形成される外郭形状を略球形状または略球状の多面体にし
（イ）訂正事項１のうち、「掃除機本体」を「
前記
（ウ）訂正事項１のうち、「車輪」を「前記
一対
（エ）訂正事項１のうち、「外郭形状」を「
前記
（オ）訂正事項１のうち、「
前記突出体は、前記一対の車輪にて形成される略球形状の外郭線近傍に位置し
　そして、明細書の段落【００４２】に「図１３に示すように、掃除機本体２０の上部には、突出体５４を設け、両側面に車輪５５を回転自在に配置し、突出体５４は車輪５５にて形成される略球形状の外郭線近傍に位置している。」と記載されているから、特許明細書に記載した事項の範囲内でするものである。
（カ）上記（ア）〜（オ）で述べたように、訂正事項１は、明瞭でない記載の釈明、特許請求の範囲の減縮又は他の請求項の記載を引用する請求項の記載を当該他の請求項の記載を引用しないものとすることを目的とするものである。
　また、訂正事項１は特許明細書に記載した事項の範囲内でするものと認められる。
　さらに、実質上特許請求の範囲を拡張し、又は変更するものではない。
　
イ．（訂正事項２）及び（訂正事項３）について
　訂正事項２及び３は、明細書の発明の詳細な説明の段落【００１５】及び【００７９】の記載を、訂正後の特許請求の範囲の請求項６の記載に整合させるものであるから、明瞭でない記載の釈明を目的とするものである。
　また、訂正事項２及び３は特許明細書に記載した事項の範囲内でするものと認められる。
　さらに、実質上特許請求の範囲を拡張し、又は変更するものではない。
　
ウ．まとめ
　以上ア．及びイ．で述べたとおりであるから、本件訂正３は、特許法第１３４条の２第１項第１、２、３又は４号に該当し、同条第９項で準用する同法第１２６条第５及び６項の規定に適合するので、当該訂正を認める。
　
第３　本件特許発明
　前述のとおり、請求項１、２及び５〜７についての訂正請求は認められるから、本件特許発明１、２及び５〜７は、本件訂正明細書の特許請求の範囲の請求項１、２及び５〜７に記載された次のとおりのものである。
本件特許発明１「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪は、第１の転がり面を有し、前記掃除機本体は、第２の転がり面を有し、前記掃除機本体が、前記第１の転がり面又は前記第２の転がり面が床面に接するよう傾いても、前記一対の車輪が床面に接地する方向に前記掃除機本体が回動して元に戻るように前記掃除機本体の重心を設けた電気掃除機。」
本件特許発明２「前記掃除機本体の移動方向に直交する面で前記掃除機本体と前記一対の車輪から形成される断面形状を、略円形又は略楕円形とした請求項１記載の電気掃除機。」
本件特許発明５「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とし、前記掃除機本体が前記転がり面が床面に接するよう傾いても、前記一対の車輪が床面に接地する方向に前記掃除機本体が回動するように前記掃除機本体の重心を設け、前記転がり面と前記掃除機本体から形成される外郭形状を略球形状または略球状の多面体にした電気掃除機。」
本件特許発明６「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とし、前記掃除機本体が前記転がり面が床面に接するよう傾いても、前記一対の車輪が床面に接地する方向に前記掃除機本体が回動するように前記掃除機本体の重心を設け、前記転がり面と前記掃除機本体から形成される外郭形状を略球形状または略球状の多面体にし、前記掃除機本体の少なくとも上面に把手等の突出体を形成し、前記突出体は、前記一対の車輪にて形成される略球形状の外郭線近傍に位置し、前記突出体を含む掃除機本体と前記一対の車輪から形成される前記外郭形状が略球形状または略球形状の多面体となるようにした電気掃除機。」
本件特許発明７「前記掃除機本体両側面に回転軸心を内側に向かって床面と略水平より上方に傾斜させ、断面形状が略半球面状または略半球面状の多面体からなる車輪にて構成した請求項５記載の電気掃除機。」
　
第４　請求人の主張
　請求人は、請求項１及び２に係る訂正請求は認められないから、本件特許発明１及び２は、特許明細書の特許請求の範囲に記載された請求項１及び２に記載されたとおりのものである。
　そして、本件特許発明１及び２は、甲第１号証又は甲第２号証に記載された発明であり、又は甲第２号証に記載された発明に基づいて当業者が容易に発明をすることができたものである。
　また、仮に、訂正請求が認められるとしても、訂正後の請求項１及び２に係る発明は、甲第１号証又は甲第２号証に記載された発明であり、又は甲第２号証に記載された発明に基づいて当業者が容易に発明をすることができたものである。
　したがって、本件特許発明１及び２の特許は特許法第２９条第１項第３号又は同条第２項の規定の規定に違反してされたから、同法第１２３条第１項第２号に該当し、無効とすべきであると主張している。
　
　また、訂正後の請求項５に係る発明である本件特許発明５は、甲第１号証又は甲第２号証に記載された発明であり、又は甲第２号証に記載された発明に基づいて当業者が容易に発明をすることができたものである。
　訂正後の請求項６及び７に係る発明である本件特許発明６及び７は、甲第１号証に記載された発明である。
　したがって、本件特許発明５〜７の特許は特許法第２９条第１項第３号又は同条第２項の規定の規定に違反してされたから、同法第１２３条第１項第２号に該当し、無効とすべきであると主張している。
　
　そして、証拠方法として、
甲第１号証（仏国特許第１３１０６１８号明細書及びその部分翻訳文）、
甲第２号証（国際公開第９８／１２９５７号及びその部分翻訳文）、
甲第３号証（フリー百科事典「ウィキペディア(Wikipedia)」の「掃除機」（最終更新2012年10月27日（土）20:44）の頁を2012年11月8日に印刷したものの写し）、
甲第４号証（「東芝」のホームページの「家電製品Ｑ＆Ａ」中の「クリーナー（掃除機）」中の「クリーナーにはどのような種類（タイプ）があるのか知りたい」(Copyright 2003-2010 TOSHIBA HOME APPLIANCES CORPORATION)の頁を2012年11月8日に印刷したものの写し）、
甲第５号証（新村出編「広辞苑」第六版、株式会社岩波書店、２００８年１月１１日、Ｐ３７９）、
甲第６号証（新村出編「広辞苑」第六版、株式会社岩波書店、２００８年１月１１日、Ｐ７７５，Ｐ１７８２及びＰ２６０３）を提出している。
　
１．請求項１及び２に係る訂正請求について、概略、以下のように主張している。
　訂正後の請求項１には、「
前記
、
第１の
又は前記第２の転がり面
前記
前記
　上記構成要件は言い換えると、「前記掃除機本体が、前記第１の転がり面が床面に接するよう傾いても、前記一対の車輪が床面に接地する方向に前記掃除機本体が回動して元に戻るように前記掃除機本体の重心を設けた」（前者の構成要件）又は「前記掃除機本体が、前記第２の転がり面が床面に接するよう傾いても、前記一対の車輪が床面に接地する方向に前記掃除機本体が回動して元に戻るように前記掃除機本体の重心を設けた」(後者の構成要件)となる。
　訂正前の請求項１には「掃除機本体が前記転がり面が床面に接するよう傾いても、前記一対の車輪が床面に接地する方向に掃除機本体が回動して元に戻るように掃除機本体の重心を設けた」と記載されているから、前者の構成要件と略同一であるが、後者の構成要件は新たに加えられた事項である。
　そうすると、後者の構成要件を満たすときは、訂正前は必須であった前者の構成要件を満たさない発明が、新たに含まれることになる。
　したがって、「又は」として後者の構成要件が加わったから、請求項１に係る訂正は被請求人の主張する特許請求の範囲の減縮ではなく、また、実質上特許請求の範囲を拡張し、又は変更するものである。したがって、訂正の要件を満たしていない。
　請求項１を引用する請求項２も同様である。
　
２．訂正前の請求項１及び２に係る発明の無効理由について、概略、以下のように主張している。
（１）請求項１及び２に係る発明は甲第１号証に記載の発明である。
　甲第１号証には、請求項１及び２に係る発明のすべて構成要件が記載されており、甲第１号証に記載される発明と請求項１及び２に係る発明とは同一である。
（２）請求項１及び２に係る発明は甲第２号証に記載の発明である、又は甲第２号証に記載の発明から当業者が容易に発明をすることができた。
　甲第２号証の図４は、中心線と一致する回転軸Ｉ−Ｉを含む水平面における断面図であると理解でき、タービン１２、モータ１２ａは断面として表されていないから上記水平面よりも下側に配置されており、これらの重い機構が下側に配置されるから重心の位置は下側にあることは明らかであって、図６も同様である。
　更に言えば、一対の車輪を有するものは通常の走行状態では直立姿勢で安定走行でき、車輪の一方だけが接地した状態では前進できないから掃除機本体を傾斜姿勢から直立姿勢に戻る設計することは当業者にとって当然で、自明な課題である。
　そして、その自明な課題を解決しようと姿勢の安定性のために重心の位置を下側半分に位置させることは当業者に一般的に知られている技術であって甲第２号証に記載されているに等しい事項である。
　第四の実施例のように外形が球形であるとき重心が下方に位置していれば起き上がりこぼしの原理で知られるように元の直立姿勢に戻る力が働くことは極めて容易に理解できるから、甲第２号証の第四の実施例は「掃除機本体が前記転がり面が床面に接するように傾いても一対の車輪が床面に接する方向に掃除機が回動して元に戻るように掃除機本体の重心を設けた」ものであって、請求項１及び２に係る発明は新規性を欠く。
　仮に、新規性を有するものであったとしても、甲第２号証及び当業者に一般的に知られている技術に基づいて、当業者が容易に発明をすることができたものである。
　
３．訂正後の発明について、無効理由を、概略、以下のように主張する。
（１）請求項１に係る発明（訂正発明１）について
ア．訂正発明１の構成要件の意義について
　訂正発明１は「前記一対の車輪は、第１の転がり面を有し、前記掃除機本体は、第２の転がり面を有し」ているが、「第２の転がり面」がどのような面か規定されていないから、単に、掃除機本体が「第２の転がり面」と称する面を有していると記載するもので、第２の転がり面は単なる外面にほかならない。
　そして、訂正発明１の「前記掃除機本体が、前記第１の転がり面又は前記第２の転がり面が床面に接するよう傾いても、前記一対の車輪が床面に接地する方向に前記掃除機本体が回動して元に戻るように前記掃除機本体の重心を設けた」という構成要件は、「前記掃除機本体が、前記第１の転がり面が床面に接するよう傾いても、前記一対の車輪が床面に接地する方向に前記掃除機本体が回動して元に戻るように前記掃除機本体の重心を設けた」（前者の構成要件）又は「前記掃除機本体が、前記第２の転がり面が床面に接するよう傾いても、前記一対の車輪が床面に接地する方向に前記掃除機本体が回動して元に戻るように前記掃除機本体の重心を設けた」(後者の構成要件)と言い換えることができ、
第１の転がり面床面に接する場合と前記第２の転がり面が床面に接する場合とが「又は」と二者択一的に記載されているから、前者の構成要件の場合に、掃除機本体の第２の転がり面が床面に接しないが一対の車輪の第１の転がり面だけが床面に接するように傾く場合を含むので、第２の転がり面は掃除機本体が傾いたときに床面に接すように形成されていることが要件ではない。
　「又は」ではなく「且つ」と記載すべきである。
イ．甲第１号証に記載の真空掃除機に対して
　前者の構成要件の場合、「第２の転がり面」は床面に接するような面である旨の限定がないから掃除機本体の単なる外面を意味する。
　甲第１号証の真空掃除機は、掃除機本体の少なくとも一部を構成する機構１の下面や集塵袋１０の上面が半球体の殻３と４の間に露出し、掃除機本体は外面を有しているといえるから、第２の転がり面を有する。したがって訂正発明１は甲第１号証に記載された発明である。
ウ．甲第２号証に記載の発明に対して
　図６に一対の半球状の周辺部材３０ａ、３０ｂの間に筐体１１の中央部が露出していることが表れている。
　そして、その他の構成要件は、上記２．の（２）で述べたとおりであるから、訂正発明１は甲第２号証に記載されている。
　又は、訂正発明１について、甲第２号証に記載の発明に一般的に知られた技術常識を適用して発明をすることは容易に想到できたことである。
　
（２）請求項２に係る発明（訂正発明２）について
ア．訂正発明２の構成要件について
　訂正発明２は「前記掃除機本体と前記一対の車輪から形成される断面形状を略円形又は略楕円形とした」ものであり、「略」とは「おおかた」又は「おおよそ」を意味する。
　又、本件の図３、図７，図１３には断面形状が凹部を有する完全な円形でないものが示され、段落【００１４】に「ここでいう略球形状とは、完全な球体でなくてもよく、さらにその一部が略球形状と異なっても、掃除機本体が傾斜あるいは転倒した場合に床面接地側に回動する構成を有していればよい。」と記載されている。
イ．甲第１号証に記載の掃除機に対して
　甲第１号証に記載の掃除機は集塵袋１０等が二つの半球体の殻３，４の外面の延長線上になくても、断面形状は、全体として「略円形」であって、訂正発明２は甲第１号証に記載されている。
ウ．甲第２号証に記載の発明に対して
　甲第２号証の図６に示される、筐体１１と一対の周辺部材３０ａ，３０ｂから形成される断面形状は「略円形」である。周辺構造３０の間の隙間に露出する筐体１１の外面も断面形状の一部を形成するものである。
　したがって、訂正発明２は甲第２号証に記載されている。
　又は、甲第２号証に記載の発明に基づき当業者が容易に発明をすることができたものである。
　
（３）請求項５に係る発明（訂正発明５）について
ア．訂正発明５の構成要件について
　訂正発明５の「前記転がり面と前記掃除機本体とから形成される外郭形状」とは、転がり面及び掃除機本体において外部に露出する外面によって形成される輪郭を意味する。
イ．甲第１号証に記載の真空掃除機に対して
　甲第１号証に記載の真空掃除機の転がり面と掃除機本体とから形成される外郭形状は「略球形状」又は「略球形状の多面体」となっている。
　集塵袋１０の上面等の掃除機本体の外面は一対の半球状の殻３，４の間の隙間に露出しており真空掃除機の外面を形成している。
　したがって、訂正発明５は甲第１号証に記載されている。
ウ．甲第２号証に記載の発明に対して
　甲第２号証に記載の真空掃除機は筐体１１が露出している。そして周辺部材３０ａ，３０ｂの外面と筐体１１とから形成される外郭形状は「略球形状」又は「略球形状の多面体」となっている。
　したがって、訂正発明５は甲第２号証に記載されている。
　又は、甲第２号証に記載の発明に基づき当業者が容易に発明をすることができたものである。
　
（４）請求項６に係る発明（訂正発明６）について
ア．訂正発明６の構成要件について
　訂正発明６は「前記転がり面と前記掃除機本体とから形成される外郭形状を略球形状または略球形状の多面体にし」ている。
　また、「前記突出体は、前記一対の車輪にて形成される略球形状の外郭線近傍に位置し、前記突出体を含む掃除機本体と前記一対の車輪から形成される前記外郭形状が略球形状または略球形状の多面体となるようにした」としている。
イ．甲第１号証に記載の真空掃除機に対して
　甲第１号証には、転がり面と掃除機本体とから形成される外郭形状が「略球形状」又は「略球形状の多面体」となっているものが記載されている。
　甲第１号証の取っ手１１は半球状の外形形状よりも外側に突出した位置に配置されているが、「近傍」とは付近を意味するから、甲第１号証の取っ手１１は一対の半球状の殻３，４で形成される略球形状の外郭線近傍に位置している。
　したがって、訂正発明６は甲第１号証に記載されている。
　
（５）請求項７に係る発明（訂正発明７）について
　引用する請求項５の構成要件は上記したように甲第１号証に記載されている。
　その他の構成要件についても甲第１号証に記載されている。
　したがって、訂正発明７は甲第１号証に記載されている。
　
第５　被請求人の主張
　被請求人は、訂正請求は認められるから、本件特許発明１、２及び５〜７は訂正明細書の特許請求の範囲の請求項１、２及び５〜７に記載されたとおりのものである。
　そして、本件特許発明１、２及び５〜７は、甲第１号証に記載の発明ではなく、本件特許発明１、２及び５は甲第２号証に記載された発明ではなく、また、甲第２号証に記載された発明に基づいて当業者が容易に発明をすることはできないから、無効理由はない旨主張し、証拠方法として、乙第１号証（新村出編「広辞苑」第六版、株式会社岩波書店、２００８年１月１１日、Ｐ４５４）を提示している。
　
 第６　甲各号証及び乙各号証
１．甲第１号証
　甲第１号証には、図１〜３とともに以下の記載がある。なお、翻訳文は、請求人が甲第１号証とともに提出した部分翻訳文による。また、アクサン、セディーユは省略した。
（１）「La presente invention a pour objet un aspirateur dont le mecanisme comprenant un moteur et une turbine, est place dans une enveloppe reposant sur le sol. L'invention a pour but de remedier aux inconvenients de ces aspirateurs en ameliorant dans des proportions considerables leur facilite de deplacement ainsi que leur possibilite de franchir ou d'eviter les obstacles.」（第１欄第１〜８行、訳：本発明の主題は、床の上に置かれる筐体内に、電動機及びファンを備えた機構が配置される、真空掃除機である。本発明の目的は、真空掃除機を移動させる簡便性、及び障害物を乗り越え或いは回避する能力を大幅に改善することにより、係る真空掃除機の欠点を解消することにある。（部分翻訳文第１頁第３〜５行））
（２）「A cette fin, l'invention a pour objet un aspirateur caracterise en ce que le mecanisme est place a l'interieur d'une enveloppe sensiblement spherique qui peut rouler sur le sol et y est suspendu de facon que les masses les plus lourdes du mecanisme soient situees au-dessous du diametre horizontal de la sphere, meme lorsque cette derniere roule.」（第１頁左欄第９〜１５行、訳：これらの目的を達成するために、発明の主題は、機構が、床を回動することができる実質的に球状の筐体内に配置され、この球体が回動するときでも、機構の最も重い質量が球体の水平方向の直径の下方に位置するように、機構がその中に吊るされることを特徴とする真空掃除機である。（部分翻訳文第１頁第７〜９行））
（３）「Tel qu'il est represente au dessin sur les figures 1 et 2, l'aspirateur conforme a l'invention comprend un mecanisme 1 qui est suspendu par des tourillons 2 dans deux coquilles hemispheriques 3 et 4 separees par un espace 5. Dans l'espace 5 est place un embout 6 raccorde a la turbine du mecanisme 1 et auquel aboutit le flexible habituel 7. A l'oppose de l'embout 6 sort le fil electrique 8 pour l'alimentation du moteur. 
　Avec ces dispositions, on voit que l'aspirateur peut etre deplace sur le sol avec un effort negligeable en tirant simplement sur le flexible 7 car les frottements entre l'aspirateur lui-meme et le sol sont supprimes puisque les hemispheres 3 et 4 roulent sur le sol.」（第１頁左欄第３７行〜右欄第１１行、訳：図１及び図２に図示するように、本発明による真空掃除機は、空間５によって分離された二つの半球状の殼３、４内で軸部２に吊されている機構１を備える。機構１のファンに連結されたノズル６が、空間５に配置されており、通例の可撓性ホース７がそこで終端している。電動機に給電するための電源コード８がノズル６の反対側から出ている。
　これらの構成により、半球体３、４が床上を回動するので、真空掃除機自体と床との間の摩擦が除去され、これにより、可撓性ホース７を単に引くだけのほんの僅かな労力で、床に沿って真空掃除機を移動することができるということが理解できる。（部分翻訳文第１頁第２８〜３５行））
（４）「La forme generale spherique de l'enveloppe de l'aspirateur permet en outre de franchir aisement les obstacles tels que les tapis ou au contraire de les eviter, car lorsque les spheres rencontrent par exemple un pied de meuble, celles-ci s'inclinent autour d'un axe horizontal sans aucun effort, grace au fait que le mecanisme 1 qui est assez lourd est situe au-dessous de l'axe horizontal de la sphere, ce qui fait contrepoids a la maniere d'un poussah. 
　De part et d'autre du chemin de roulement 9 sont prevus des meplats 3a et 3b sur chaque hemisphere, afui de pouvoir immobiliser l'aspirateur en le posant sur l'un ou l'autre de ses meplats. Pour vider le sac a poussieres 10 piace au-dessus du mecanisme 1, on pose l'aspirateur sur l'un de ses meplats et on retire l'hemisphere superieur qui est bien entendu amovible. 
　Dans l'espace qui separe les deux hemispheres, est placee une poignee de prehension 11 fixee directement sur le bati du mecanisme 1 et cette poignee presente avantageusement deux becs 11a et 11b qui permettent d'enrouler le fil electrique 8 autour de cette poignee.
　Selon un mode de realisation represente sur la figure 3, les deux hemispheres 3 et 4 sont montes sur des essieux 12 qui font un angle entre eux de facon que ces deux hemispheres 3 et 4 soient ecartes l'un de l'autre a leur partie superieure meme en roulant.」（第１頁右欄第２６行〜第２頁左欄第１４行、訳：また、真空掃除機の筐体の球状の全体的形状により、マットのような障害物を容易に乗り越える又は回避することができ、なぜならば、例えば、球体が家具の脚に遭遇したとき、かなり重い機構１が、球の水平軸の下方に位置し、それゆえに、起き上がりこぼし(或いは「ウィーブル」(商標))のようにカウンターウェイトとして動作する、という事実により、球体自体が水平軸を中心に簡単に傾くからである。
　走行路９の各側面には、各半球体の上に平坦部３ａ、３ｂがあり、それにより、一方又は他方の平坦部の上に真空掃除機を立たせることによって真空掃除機を不動にすることができる。機構１の上方に配置された集塵袋１０を空にするために、真空掃除機は、その平坦部の一方の上に配置され、勿論取り外し可能な上部半球体は、外される。
　二つの半球体を分離している空間には、機構１の構造体に直接固定された取っ手１１が配置され、この取っ手は、有利には、電源コード８をこの取っ手の回りに巻き付けることができるように、二つの耳１１ａ、１１ｂを有する。
　図３に図示された一つの実施形態によれば、二つの半球体３、４は、互いに角度をなす軸１２に、取り付けられ、それにより、これら二つの半球体３、４は、転がっているときでも上部部分で互いに分離されている。（部分翻訳文第２頁第８〜２５行））
（５）図２には、二つの半球状の殼３、４を分離する隙間である空間５（上記記載事項（３）参照）を通して二つの半球状の殼３、４からなる筐体の内側に機構１や集塵袋１０の一部が見える様子や、
ノズル６を介した可撓性ホースが延出する方向に垂直で且つ水平の方向である、左右の方向に、二つの半球状の殼３、４が、空間５を介して、球状の筐体となるように配置され、
二つの半球状の殼３、４の平坦走行路９がともに接地する様子、
集塵袋１０とともに、機構１が左右の両側で、軸部２により、二つの半球状の殼３、４の内側に取り付けられる様子が図示される。
　また、図１，２，３には、空間５を通って半球体３、４の上方に突出する取っ手１１が図示される。
　上記（１）〜（４）の記載事項及び（５）の図示内容を総合すると、上記甲第１号証には以下の発明（以下「引用発明１」という。）が記載されていると認められる。
「電動機及びファンを備えた機構１と、
機構１のファンに連結されたノズル６で終端する可撓性ホース７と、
機構１の上方に配置され、二つの半球状の殼３、４の内側に取り付けられる集塵袋１０と、
空間５によって分離された二つの半球状の殼３、４内で軸部２に、ノズル６を介した可撓性ホースが延出する方向に垂直で且つ水平の方向である、左右の方向の両側で吊されている機構１を備える、床上を回動する、空間５によって分離された、平坦走行路９がともに接地する二つの半球状の殼３、４を備え、
　機構１の最も重い質量が球体の水平方向の直径の下方に位置するように、機構１がその中に吊るされることで、起き上がりこぼしのようにカウンターウェイトとして動作する、という事実により、真空掃除機の筐体の球状の全体的形状により、マットのような障害物を容易に乗り越える又は回避することができる
空間５を通して二つの半球状の殼３、４からなる筐体の内側に機構１や集塵袋１０の一部が見え、
空間５を通って半球体３、４の上方に突出する取っ手１１を有する
真空掃除機。」
　又、「上部部分で互いに分離するように、二つの半球状の殼３、４は、互いに角度をなす軸１２に、取り付けられる態様」も示されている。
　
２．甲第２号証
　甲第２号証には、図１〜９とともに以下の記載がある。なお、翻訳文は、請求人が甲第２号証とともに提出した部分翻訳文による。また、アクサン、セディーユは省略した。
（１）「La presente invention concerne un aspirateur mobile pour dechets menagers, comprenant une structure interne ayant des moyens pour aspirer l'air charge de dechets menagers par une entree d'air, des moyens pour filtrer l'air aspire et retenir les dechets menagers qu'il contient, des moyens pour evacuer l'air filtre par au moins une sortie d'air, et une structure de protection destinee a minimiser ou supprimer les degats provoques par les chocs entre l'aspirateur et d'autres objets tels que des meubles environnants.」（第１頁第４〜１１行、訳：本発明は空気入口を介して家庭のゴミを含む空気を吸引する手段と、吸引された空気をフィルターし、それに含まれる家庭のゴミを保持する手段と、少なくとも一の空気出口を介してフィルターされた空気を排出する手段と、真空掃除機と周辺の家具のような他のものとの間の衝突により生ずる損傷を最小化し又は除去するよう適合された保護構造とを有する内部構造からなる家庭のゴミ用の移動真空掃除機に関する。（部分翻訳文第１頁第７〜１１行））
（２）「Pour atteindre ces buts ainsi que d'autres, un aspirateur selon l'invention comprend une structure interne ayant des moyens pour aspirer l'air charge de dechets menagers par une entree d'air, des moyens pour filtrer l'air aspire et retenir les dechets menagers qu'il contient, des moyens pour evacuer l'air filtre par au moins une sortie d'air, et une structure peripherique gonflable alimentee en air par ladite sortie d'air ; la structure peripherique gonflable est delimitee par une ou plusieurs parois peripheriques flexibles dont l'enveloppe entoure entierement l'ensemble de la structure interne de l'aspirateur comprenant les moyens pour aspirer, pour filtrer et pour evacuer l'air.
　Selon un mode de realisation prefere, une portion de la structure peripherique gonflable constitue une surface d'appui par laquelle l'aspirateur peut reposer sur le sol.」（第２頁第２３〜３５行、訳：上記及び他の目的を達成するために、本発明による真空掃除機は空気入口を介して家庭のゴミを含む空気を吸引する手段と、吸引された空気をフィルターし、それに含まれる家庭のゴミを保持する手段と、少なくとも一の空気出口を介してフィルターされた空気を排出する手段と、該出口を介して空気を供給される膨張可能な周辺構造とを有する内部構造からなる家庭のゴミ用の真空掃除機であって、膨張可能な周辺構造は一以上の可撓性外周壁により画定され、その外包は、吸引手段と、フィルター手段と、空気排出手段とを有する真空掃除機の内部構造全てを全体的に覆う真空掃除機である。
　本発明の好ましい一実施例では膨張可能な周辺構造の一部分は真空掃除機が床に置かれる支持面を構成する。（部分翻訳文第１頁第２１〜２９行））
（３）「Dans ce cas, de preference, les deux elements peripheriques gonflables sont montes rotatifs selon un axe de rotation generalement perpendiculaire a l'axe de l'entree d'air. L'aspirateur peut alors rouler sur le sol par les elements peripheriques gonflables, qui sont retenus sur la structure interne par des moyens de guidage axial et peuvent tourillonner autour d'une surface cylindrique de structure interne avec interposition d'une lame d'air insufflee par l'aspirateur.」（第３頁第２１〜２７行、訳：この場合には２つの膨張可能な周辺部材は、好ましくは、空気入口の軸に概略垂直な回転軸に関して回転可能に設けられている。真空掃除機は膨張可能な周辺部材により床上をころがることが可能であり、これらは軸方向案内手段により内部構造上に保持され、真空掃除機により吹き込まれた空気の層をその間に有する内部構造の円筒面のまわりで回転可能である。（部分翻訳文第１頁第３２〜末行））
（４）「- la figure 1 est une vue de cote en coupe longitudinale d'un aspirateur selon un premier mode de realisation de la presente invention ;
- la figure 2 est une vue de cote en coupe longitudinale de la structure peripherique gonflable dans le mode de realisation de la figure 1 ;
- la figure 3 est une vue en perspective d'un aspirateur selon le mode de realisation de la figure 1 ;
- la figure 4 est une vue en coupe longitudinale d'un aspirateur selon un second mode de realisation de la presente invention ;
- la figure 5 est une coupe longitudinale schematique d'un aspirateur selon un troisieme mode de realisation de l'invention ;
- la figure 6 est une coupe longitudinale d'un aspirateur selon un quatrieme mode de realisation de l'invention ;
- la figure 7 illustre, a plus grande echelle, la liaison entre un element de structure peripherique gonflable rotatif et la structure interne de l'aspirateur dans le mode de realisation de la figure 5 ;
- la figure 8 est une vue en perspective de l'aspirateur selon l'invention dans le mode de realisation de la figure 5 ; et 
- la figure 9 illustre un aspirateur selon la presente invention dans un cinquieme mode de realisation.
　　　DESCRIPTION DES MODES DE REALISATION PREFERES
　Dans le mode de realisation illustre sur les figures 1 a 3, l'aspirateur 10 comporte essentiellement une structure interne contenue dans un carter tubulaire creux rigide 11 et comportant une turbine d'aspiration 12 entrainee par un moteur 12a. Le moteur 12a est maintenu dans le carter 11 au moyen d'un support 14 qui definit une chambre amont 15 et une chambre aval 16. La chambre amont 15 est conformee pour contenir un sac a dechets 13, et comprend une entree d'air 24. Le support 14 est conforme pour laisser passer l'air depuis la chambre amont 15 vers la chambre aval 16 en lui faisant traverser un ou plusieurs filtres 26 qui evitent que des particules indesirables ne penetrent dans le moteur 12a.
　Dans ce mode de realisation, le moteur 12a et la turbine d'aspiration 12 sont places dans la chambre aval 16.
　Un couvercle amont 18 ferme l'extremite amont de la chambre amont 15, et comporte l'entree d'air 24.
　Un couvercle aval 17 ferme l'extremite aval de la chambre aval 16.」（第３頁第３６行〜第４頁第３４行、訳：図１は本発明による真空掃除機の第一の実施例の長手方向断面の側面図を示す。
　図２は図１の実施例の膨張可能な周辺構造の長手方向断面の側面図を示す。
　図３は図１の実施例の斜視図を示す。
　図４は本発明による真空掃除機の第二の実施例の長手方向断面を示す。
　図５は本発明による真空掃除機の第三の実施例の長手方向断面を示す。
　図６は本発明による真空掃除機の第四の実施例の長手方向断面を示す。
　図７は図５の実施例の回転可能な膨張可能な周辺構造と内部構造との間の接続を示す拡大図である。
　図８は本発明による真空掃除機の図５の実施例の斜視図である。
　図９は本発明による真空掃除機の第九の実施例を示す。
　　　好適実施例の説明
　図１から３に示される実施例では真空掃除機１０は本質的に堅い中空の管状筐体１１内に含まれる内部構造からなり、モーター１２ａにより駆動される吸引タービン１２が含まれる。モーター１２ａは上流の室１５と下流の室１６を画成する支持体１４により筐体１１に保持される。上流室１５はゴミ袋１３と、空気入口２４を含むよう成型される。支持体１４は上流室１５から下流室１６へ望ましくない粒子がモーター１２ａに入来することを防ぐ一以上のフィルター２６を通して空気を送ることを許容する。
　この実施例で、モーター１２ａ及び吸入タービン１２は下流室１６にある。
　上流カバー１８は上流室１５の上流端を閉じ、空気入口２４を含む。
　下流カバー１７は下流室１６の下流端を閉じる。（部分翻訳文第２頁第８〜２８行））
（５）「Dans le mode de realisation des figures 1 a 3, la structure peripherique gonflable 30 comprend un seul element de structure, et est delimitee par une paroi interieure 31 tubulaire engagee autour du carter 11, et par une paroi peripherique externe 32 flexible. Les parois 31 et 32 definissent une enceinte annulaire gonflable entourant un espace interieur, ouvert a deux extremites opposees 22 et 23 constituant chacune un passage libre.
　La premiere extremite 22 constitue un premier passage libre au droit de l'entree d'air 24, pour autoriser le raccordement d'un tube d'aspiration d'air 25 a l'entree d'air 24. Ce premier passage libre 22 est entoure d'une portion de la paroi peripherique externe 32 constituant une levre gonflable 27 qui est proeminente, par rapport a laquelle l'entree d'air 24 est en retrait.
　La seconde extremite 23 constitue un second passage libre, traverse par le cordon 21 de connexion de l'aspirateur au reseau exterieur de distribution d'energie electrique. De la meme facon, le second passage libre 23 est entoure d'une portion de la paroi peripherique externe 32 constituant une levre gonflable 28 qui est proeminente.
　Comme on le voit sur la figure 1, la structure peripherique gonflable 30 est delimitee par une paroi peripherique externe 32 flexible continue dont l'enveloppe entoure entierement l'ensemble de la structure interne de l'aspirateur comportant les moyens pour aspirer l'air 12 et 12a, les moyens pour filtrer l'air 13 et 26, ainsi que les moyens pour evacuer l'air 29.
　Dans la presente description et dans les revendications annexees, le terme enveloppe designe la surface exterieure convexe a volume minimum contenant la structure peripherique gonflable. Dans le cas de la figure 1, cette enveloppe est formee par la surface exterieure de la paroi peripherique externe 32, se raccordant aux plans d'extremite 27a et 28a tangents aux bords respectifs des levres 27 et 28. Cette enveloppe entoure entierement l'ensemble de la structure interne de l'aspirateur et notamment le moteur 12a, la turbine 12, le carter rigide 11, les couvercles 17 et 18.」（第５頁第１５行〜第６頁第１１行、訳：図１から３に示される実施例では膨張可能な周辺構造３０が単一の構造要素からなり、筐体１１の周囲に適合された筒状内壁３１及び可撓性外周壁３２により境界を設定されている。壁３１、３２はそれぞれが自由通路を構成する、２つの対向する端２２、２３で開いている内部空間を囲む膨張可能な輪状の囲いを画成する。
　第一の端２２は空気入口２４と整列した第一の自由通路を構成し、空気吸入筒２５が空気入口２４と連結するのを可能にする。この第一の自由通路は膨張可能なリップ２７を空気入口２４がセットバックするよう突出させるよう構成する外周壁３２の一部により囲まれる。
第二の端２３は真空掃除機を外部電源分配ネットワークに接続するコード２１を送り出す第二の自由通路を構成する。同様にして第二の自由通路２３は突出する膨張可能なリップ２８を構成する外周壁３２の一部分により囲まれる。
　図１を参照するに、膨張可能な周辺構造３０は連続な可撓性外周壁３２により境界を設定され、その外包は空気排出手段２０と共に空気吸入手段１２、１２ａ、空気フィルター手段１３、２６を含む真空掃除機の内部構造の全てを全体的に囲む。
　本明細書及び請求項で「外包（エンベロープ）」という用語は膨張可能な周辺構造を含む最小体積凸状外面を示す。図１で外包はリップ２７、２８のそれぞれの縁と接する端面２７ａ、２８ａに連結される外周壁３２の外面により形成される。この外包は特にモーター１２ａ、タービン１２、堅い筐体１１、カバー１７、１８である真空掃除機の内部構造の全てを全体的に囲む。（部分翻訳文第３頁第４〜２２行））
（６）「Lorsque le moteur 12a est alimente en energie electrique, il produit une aspiration qui augmente la pression d'air a l'interieur de la chambre aval 16. L'air penetre alors dans la structure peripherique gonflable 30 par les ouvertures 29 et les fentes 33, et il gonfle la structure peripherique externe 30. Le volume de la structure peripherique externe 30 augmente sous l'effet de cette pression jusqu'a ce que la structure soit totalement gonflee. L'air s'echappe alors vers l'atmosphere exterieure soit a travers la paroi peripherique externe 32, soit a travers des ouvertures appropriees.」（第７頁第２５〜３３行、訳：モーター１２ａが給電されたときに、モーター１２ａは下流室１６内の空気圧を増加させる吸引力を発生する。故に空気は開口２９及びスロット３３を介して膨張可能な周辺構造３０に入来し、空気は外周構造３０を膨張させる。外周構造３０の体積は構造が全体的に膨張するまでこの圧力のために増加する。空気は外周壁３２又は適切な開口を通して外側の大気に逃げる。（部分翻訳文第３頁第２７〜３２行））
（７）「Dans le mode de realisation illustre sur la figure 4, on retrouve les elements essentiels de l'aspirateur de la presente invention, reperes par les memes references numeriques : le moteur 12a entrainant la turbine 12, une chambre amont 15, une chambre aval 16, l'entree d'air 24, une structure peripherique gonflable 30.
　Dans ce second mode de realisation, la structure peripherique gonflable 30 comprend un premier element peripherique gonflable 30a et un second element peripherique gonflable 30b separes l'un de l'autre par une gorge annulaire 30c susceptible d'etre traversee par le tube d'aspiration 25 et/ou par le cordon 21 de connexion permettant de connecter l'aspirateur au reseau exterieur de distribution d'energie electrique.
　Chacun des elements peripheriques gonflables 30a et 30b est de forme enveloppante continue telle qu'une forme cylindrique borgne, comme illustre sur la figure.
　Les deux elements peripheriques gonflables 30a et 30b sont montes rotatifs selon un axe de rotation I-I generalement perpendiculaire a l'axe de l'entree d'air 24, laquelle entree d'air 24 etant disposee dans la gorge peripherique 30c.
　Comme dans le mode de realisation des figures 1 a 3 la structure interne de l'aspirateur est contenue dans un carter tubulaire 11 oriente selon l'axe I-I de rotation.
　Chacun des elements peripheriques gonflables 30a et 30b est retenu sur la structure interne par des moyens de guidage axial, et tourillonne autour d'une portion d'extremite du carter cylindrique 11, ladite portion d'extremite etant alors cylindrique de revolution. 
　On peut avantageusement prevoir de constituer une lame d'air insufflee par l'aspirateur entre l'element peripherique gonflable 30a et 30b et la surface externe du carter 11.
　La variante illustree sur la figure 6 reprend la structure du mode de realisation de la figure 4, avec deux elements peripheriques gonflables 30a et 30b. La difference est dans la forme externe des elements peripheriques gonflables 30a et 30b, qui sont des calottes spheriques.」（第８頁第１１行〜第９頁第８行、訳：図４に示された実施例で、本発明による真空掃除機の本質的な要素は同一の符号で識別されうる：即ちタービン１２を駆動するモーター１２ａ、上流室１５、下流室１６、空気入口２４、膨張可能な周辺構造３０。
　この第二の実施例で、膨張可能な周辺構造３０は第一の膨張可能な周辺部材３０ａと第二の膨張可能な周辺部材３０ｂとからなり、これらは輪状の溝３０ｃにより相互に分離され、それを通って吸入筒２５及び／又は外部電源分配ネットワークに真空掃除機を接続するコード２１が通る。
　膨張可能な周辺部材３０ａ、３０ｂのそれぞれは図示されるような一方が閉じた（ブラインド）円筒形のような連続的な外包形を有する。
　２つの周辺部材３０ａ、３０ｂは概略空気入口２４の軸線に垂直な回転軸線Ｉ−Ｉのまわりで回転可能であり、空気入口２４は周辺溝３０ｃの内側に配置される。
　図１から３に示される実施例にあるように、真空掃除機の内部構造は回転軸線Ｉ−Ｉに沿って方向付けられた筒状の筐体１１に含まれる。
　膨張可能な周辺部材３０ａ、３０ｂのそれぞれは軸方向案内手段により内部構造に保持され、円筒形筐体１１の端部分のまわりで回転し、該端部分はそれ故円形の円筒である。
　空気層は好ましくは膨張可能な周辺部材３０ａ、３０ｂと筐体１１の外周との間に真空掃除機により吹き込まれる．
　図６に示される変形例は２つの膨張可能な周辺部材３０ａ、３０ｂを有する図４の実施例の構造と同じ構造に適用したものである。違いは球形のドームである膨張可能な周辺部材３０ａ、３０ｂの外形にある。（部分翻訳文第３頁第３５行〜第４頁第１８行））
（８）「1 - Aspirateur pour dechets menagers, comprenant une structure interne ayant des moyens pour aspirer l'air (12, 12a) charge de dechets menagers par une entree d'air (24), des moyens pour filtrer l'air (13, 26) aspire et retenir les dechets menagers qu'il contient, des moyens pour evacuer l'air filtre par au moins une sortie d'air (29), et une structure peripherique gonflable (30) alimentee en air par ladite sortie d'air (29), caracterise en ce que la structure peripherique gonflable (30) est delimitee par une ou plusieurs parois peripheriques externes (32) flexibles dont l'enveloppe entoure entierement l'ensemble de la structure interne (12, 12a, 13, 14, 15, 16, 26) de l'aspirateur comprenant les moyens pour aspirer (12, 12a), pour filtrer (13, 26) et pour evacuer (29) 1 'air .
　2 - L'aspirateur selon la revendication 1, caracterise en ce qu'une portion de la structure peripherique gonflable (30) constitue une surface d'appui par laquelle l'aspirateur peut reposer sur le sol.
　・・・（中略）・・・
　6 - Aspirateur selon l'une des revendications l ou 2, caracterise en ce que la structure peripherique gonflable (30) comprend un premier element peripherique gonflable (30a) et un second element peripherique gonflable (30b) separes l'un de l'autre par une gorge annulaire (30c) susceptible d'etre traversee par le tube d'aspiration (25) et/ou par le cordon (21) de connexion de l'asplrateur au reseau exterieur de distribution d'energie electrique.
　・・・（中略）・・・
　8 - Aspirateur selon la revendication 6, caracterise en ce que chacun des elements peripheriques gonflables (30a, 30b) est de forme enveloppante continue telle qu'une forme cylindrique borgne ou en calotte spherique.
　9 - Aspirateur selon l'une quelconque des revendications 6 a 8, caracterise en ce que les deux elements peripheriques gonflables (30a, 30b) sont montes rotatifs selon un axe de rotation (I-I) generalement perpendiculaire a l'axe de l'entree d'air (24). 」（特許請求の範囲、訳：１．空気入口（２４）を介して家庭のゴミを含む空気を吸引する手段（１２、１２ａ）と、吸引された空気をフィルターし、それに含まれる家庭のゴミを保持する手段（１３、２６）と、少なくとも一の空気出口（２９）を介してフィルターされた空気を排出する手段と、該出口（２９）を介して空気を供給される膨張可能な周辺構造（３０）とを有する内部構造からなる家庭のゴミ用の真空掃除機であって、膨張可能な周辺構造（３０）は一以上の可撓性外周壁（３２）により画定され、その外包は真空掃除機の内部構造（１２、１２ａ、１３、１４、１５、１６、２６）の全てを全体的に囲うことを特徴とする真空掃除機。
２．膨張可能な周辺構造（３０）の一部分は真空掃除機が床に置かれる支持面を構成することを特徴とす請求項１記載の真空掃除機。
　・・・（中略）・・・
６．膨張可能な周辺構造（３０）は環状の溝（３０ｃ）により相互に分けられる第一の膨張可能な周辺部材（３０ａ）と第二の膨張可能な周辺部材（３０ｂ）とを含み、それを通して吸入筒（２５）及び／又は真空掃除機を外部電源ネットワークと接続するコード（２１）が通過することを特徴とする請求項１又は２記載の真空掃除機。
　・・・（中略）・・・
８．膨張可能な周辺部材（３０ａ、３０ｂ）のそれぞれは一方が閉じた円筒形又は球形のドーム型のような連続的な外包型であることを特徴とする請求項６記載の真空掃除機。
９．２つの膨張可能な周辺部材（３０ａ、３０ｂ）は空気入口（２４）の軸線に概略垂直な回転軸線（Ｉ−Ｉ）のまわりで回転可能であることを特徴とする請求項６乃至８のうちいずれか１項記載の真空掃除機。（部分翻訳文第４頁第２２行〜第５頁第１３行））
（９）図４には、大径のタービン１２やモーター１２ａのタービン側の（黒塗りされた）部分は外形が見え、モーター１２ａのタービン１２と反対側の部分はそのケースが一部切り欠かれ、モーター１２ａ内の構造の一部が見える様子、並びに空気吸入筒２５、空気入口２４及び空気入口２４に続く部品の外形が見える様子が図示される。
　図５、６及び８には、中央に空気入口２４が配される様子が図示される。
　また、図３や８には空気入口２４に接続される空気吸入筒２５やそれに続く延長管、吸い込み口が図示される。
　上記（１）〜（８）の記載事項及び図面を、特に図６に着目して、総合すると、上記甲第２号証には以下の発明（以下「引用発明２」という。）が記載されていると認められる。
「吸引力を発生する、モーター１２ａにより駆動される吸引タービン１２が含まれる筒状の筐体１１と、
　家庭のゴミを含む空気を吸引する空気入口２４に、空気吸入筒２５やそれに続く延長管を介して接続される吸い込み口と、
　筒状の筐体１１の上流室１５に配されゴミ袋１３と、
　輪状の溝３０ｃにより相互に分離される、球形のドーム型のような連続的な外包型であって、
その外包は、空気排出手段２０と共に空気吸入手段１２、１２ａ、空気フィルター手段１３、２６、モーター１２ａ、タービン１２、堅い筒状の筐体１１を含む真空掃除機の内部構造の全てを全体的に囲む、
空気入口２４の軸線に垂直な回転軸線Ｉ−Ｉのまわりで回転可能で、筒状の筐体１１の端部分のまわりで回転し、
膨張可能な周辺構造の一部分は真空掃除機が床に置かれる支持面を構成する
膨張可能な周辺部材３０ａ、３０ｂを備えた、
真空掃除機。」
　
３．甲第３号証
　甲第３号証には、掃除機について、その歴史等とともに、「分類」の項の「本体の型」に「床移動型（キャニスター型）」が説明され、同じく「分類」の項の「吸込口」に、「ほとんどの床移動型家庭用掃除機には床用吸込口、棚用吸込口、すきま用吸込口が標準で付属する。」と記載され、さらに「床用吸込口」が説明されている。
　
４．甲第４号証
　「床移動式クリーナー」の項に、「一般的に広く使われているタイプです。」と記載され、掃除機本体にホース、延長管を介して吸込口が接続される様子が図示される。
　
５．甲第５号証
　「おきあがり・こぼうし」【起上り小法師】の項に「達磨だるまの形に造った人形の底におもりをつけた玩具。倒してもすぐに起きなおる。不倒翁。おきあがりこぼし。おきゃがりこぼし。」と記載されている。
　
６．甲第６号証
　「きん‐ぼう【近傍】」の項に「(1)近所。近辺。日葡辞書『キンパウ』(2)〔数〕距離空間で、一点Ｐからの距離が或る値より小さいすべての点から成る部分集合を、Ｐの近傍という。一般の位相空間でも、この概念を拡張して、集合に属する各要素に対して近傍を設定する。→位相」と、
　「だん‐めん【断面】」の項に「(1)もののきりくちの面。切断面。(2)物事をある観点から見た時、そこに現れている状態。『社会の一―』　−・ず【断面図】物体をある平面で切ったと仮定して、その内部構造をえがいた図。」と、及び
　「ほぼ【粗・略】」の項に、「〔副〕おおかた。およそ。大略。あらあら。南海寄帰内法伝平安後期点『聊かに此の徒ともがらの為に粗ホホ詮衡す』。『仕事は―片付いた』『―間違いない』『―全員が集まる』」と記載されている。
　
７．乙第１号証
　「がい‐かく【外郭・外廓】」の項に「外部を囲むかこい。そとぐるわ。←→内郭。　−だんたい【外郭団体】官庁や政党などの組織の外部にあって、これと連携を保ちその活動や事業を助ける団体。　がいかく‐もん【外郭門】大内裏だいだいり外郭の諸門。←→内郭門」と記載されている。
　
第７　無効理由の検討
１．本件訂正１について
　請求人は、請求項１及び２に係る訂正請求は認められないから、本件特許発明１及び２は、特許明細書の特許請求の範囲に記載された請求項１及び２に記載されたとおりのものである。そして、本件特許発明１及び２は、甲第１号証又は甲第２号証に記載された発明であり、又は甲第２号証に記載された発明に基づいて当業者が容易に発明をすることができたものであると主張する。
　請求人の主張する訂正請求が認められない理由は、概略、第４の１のとおり、「又は」との記載があり、二者択一的であるから、前者の構成要件を満たさず、後者の構成要件が満たす場合を含むというものである。
　
　しかしながら、上記請求人の訂正後の請求項１に記載された「又は」の解釈については、上記第２の２．（１）ア（エ）で述べたとおりであって、訂正請求は認められるものである。
　つまり、訂正後の請求項１に記載される電気掃除機は、第１の転がり面３６及び第２の転がり面３７を有し、掃除機本体２０は第１の転がり面３６又は第２の転がり面３７が床面に接するように傾くものである。
　第１の転がり面３６と第２の転がり面３７は床面に同時に接するものではないから、「且つ」の表現は適切ではなく、どちらか一方の転がり面が床面に接するように傾く場合を表現する「又は」が適切といえる。
　そうすると、本件訂正１は第２の２．（１）で述べたとおり認められるから、本件特許発明１及び２は、特許明細書の特許請求の範囲に記載された請求項１及び２に記載されたとおりのものではなく、訂正請求による訂正後の請求項１及び２に記載された発明である。
　
２．本件特許発明１について
（１）甲第１号証に記載された発明（引用発明１）であることについて
　本件特許発明１と引用発明１とを対比すると、
後者の「電動機及びファン」は「真空掃除機」に備えられるものであるから、前者の「吸引力を発生する電動送風機」に相当し、後者の「真空掃除機」は「電動機及びファン」を備えるから、前者の「電気掃除機」に相当する。
　また、後者の「電動機及びファンを備えた機構１」は、その機能・構成からみて、前者の「吸引力を発生する電動送風機を内蔵した掃除機本体」に相当し、以下同様に、後者の「ノズル６で終端する可撓性ホース７」は前者の「ホース」に、後者の「機構１の上方に配置され、二つの半球状の殼３、４の内側に取り付けられる集塵袋１０」は前者の「掃除機本体に設け塵埃を集塵する集塵部」に、後者の「床上を回動する、空間５によって分離された、平坦走行路９がともに接地する二つの半球状の殼３、４」は前者の「床面移動用の一対の車輪」にそれぞれ相当する。
　後者の「機構１のファンに連結されたノズル６で終端する可撓性ホース７」は真空掃除機に備えられるものであるから、可撓性ホース７を介してファンにより塵埃を吸い込むものといえ、また、後者は「床上を回動する」「平坦走行路９がともに接地する二つの半球状の殼３、４」を有するから、床面を移動しながら掃除する真空掃除機である。すると、後者は、床面を移動しながら可撓性ホースを介して塵埃を吸引して掃除する真空掃除機であり、このような真空掃除機がホースに続く延長管や吸口体を有することは当業者において技術常識ともいえることから、後者が「機構１のファンに連結されたノズル６で終端する可撓性ホース７」を備えることは、前者が「電動送風機の吸引力にて延長管及びホースを介して被掃除面の塵埃を吸い込むための吸口体」を備えることと実質的に同様であるといえる。
　後者の「空間５によって分離された二つの半球状の殼３、４内で軸部２に、ノズル６を介した可撓性ホースが延出する方向に垂直で且つ水平の方向である、左右の方向の両側で吊されている機構１を備える、床上を回動する、空間５によって分離された、平坦走行路９がともに接地する二つの半球状の殼３、４」とは、機構１がその両側で、軸部２により吊されて、二つの半球状の殼３、４に設けられる状態であるから、前者の「掃除機本体の側面に設けた床面移動用の一対の車輪」に相当する。
　後者の「二つの半球状の殼３、４」について、後者が「機構１の最も重い質量が球体の水平方向の直径の下方に位置するように、機構１がその中に吊るされることで、起き上がりこぼしのようにカウンターウェイトとして動作する」ものであることから、「二つの半球状の殼３、４」の外表面は「起き上がりこぼし」として作用するための面であるといえる。したがって、後者の「二つの半球状の殼３、４」が上記の作用を有する外表面を有することは前者の「一対の車輪は、第１の転がり面を有」することに相当するとともに、後者の「機構１の最も重い質量が球体の水平方向の直径の下方に位置するように、機構１がその中に吊るされること」は前者の「掃除機本体が、前記第１の転がり面」「が床面に接するよう傾いても、前記一対の車輪が床面に接地する方向に前記掃除機本体が回動して元に戻るように前記掃除機本体の重心を設けた」ことに相当する。
　
　したがって、本件特許発明１と引用発明１とは、
「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪は、第１の転がり面を有し、前記掃除機本体が、前記第１の転がり面が床面に接するよう傾いても、前記一対の車輪が床面に接地する方向に前記掃除機本体が回動して元に戻るように前記掃除機本体の重心を設けた電気掃除機。」である点で一致し、以下の点で相違する。
相違点：本件特許発明１が「前記掃除機本体は、第２の転がり面を有し」、「前記掃除機本体が、」「前記第２の転がり面が床面に接するよう傾いても、前記一対の車輪が床面に接地する方向に前記掃除機本体が回動して元に戻るように前記掃除機本体の重心を設け」ているのに対して、引用発明１は「空間５を通して二つの半球状の殼３、４からなる筐体の内側に機構１や集塵袋１０の一部が見え」るものの、機構１や集塵袋１０が床面に接する転がり面を有するものではない点。
　
　そこで、上記相違点について検討する。
　本件特許発明１は掃除機本体が第２の転がり面を有するものであって、当該第２の転がり面は床面に接するように、掃除機本体が傾くものである。
　
　これについて、請求人は「第２の転がり面」がどのような面か規定しておらず、床面に接するような面であるともしていないから、単にそう称する外面を有するにすぎないと主張する。
　しかしながら、少なくとも「転がり面」と称するから、転がる面であるといえる。また、第２の２．（１）ア．（エ）で述べたように、明細書においても第２の転がり面が床面に接する面であることが記載されている。
　
　さらに、本件特許発明１は「掃除機本体が、前記第１の転がり面又は前記第２の転がり面が床面に接するよう傾いても」と記載されることからも第２の転がり面は床面に接する面であるといえる。
　これについて、請求人は「又は」と二者択一的に記載されるているから、「掃除機本体が第１の転がり面が床面に接すように傾」く場合、「第２の転がり面」が床面に接するよう形成されることは要件でないと主張するが、そもそも「掃除機本体は、第２の転がり面を有」することは発明の構成要件である上に、第２の２．（１）ア．（エ）で述べたように、第２の転がり面についても床面に接するものであるから上記請求人の主張は失当である。
　
　以上のようであるから、本件特許発明１と引用発明１とは相違するので、本件特許発明１が甲第１号証に記載された発明であるとはいえない。
　
（２）甲第２号証に記載された発明（引用発明２）であることについて
　本件特許発明１と引用発明２とを対比すると、
後者の「吸引力を発生する、モーター１２ａにより駆動される吸引タービン１２」は、その機能・構成からみて、前者の「吸引力を発生する電動送風機」に相当し、以下同様に、後者の「筒状の筐体１１」は前者の「掃除機本体」に、後者の「家庭のゴミを含む空気を吸引する空気入口２４に、空気吸入筒２５やそれに続く延長管を介して接続される吸い込み口」は前者の「電動送風機の吸引力にて延長管及びホースを介して被掃除面の塵埃を吸い込むための吸口体」に、後者の「筒状の筐体１１の上流室１５に配されゴミ袋１３」は前者の「掃除機本体に設け塵埃を集塵する集塵部」に、後者の「空気入口２４の軸線に垂直な回転軸線Ｉ−Ｉのまわりで回転可能で、筒状の筐体１１の端部分のまわりで回転し、膨張可能な周辺構造の一部分は真空掃除機が床に置かれる支持面を構成する膨張可能な周辺部材３０ａ、３０ｂ」は前者の「掃除機本体の側面に設けた床面移動用の一対の車輪」にそれぞれ相当する。
　また、後者の「真空掃除機」は「モーター１２ａにより駆動される吸引タービン１２」を有するものであるから前者の「電気掃除機」に相当する。
　さらに、後者の周辺部材３０ａ、３０ｂが「輪状の溝３０ｃにより相互に分離される、球形のドーム型のような連続的な外包型であって、その外包は、空気排出手段２０と共に空気吸入手段１２、１２ａ、空気フィルター手段１３、２６、モーター１２ａ、タービン１２、堅い筒状の筐体１１を含む真空掃除機の内部構造の全てを全体的に囲む」ものであることは、その形状からみて、前者の一対の車輪が「第１の転がり面を有」することに相当する。
　
　したがって、本件特許発明１と引用発明２とは、
「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪は、第１の転がり面を有する電気掃除機。」である点で一致し、以下の点で相違する。
相違点：本件特許発明１が、「掃除機本体は、第２の転がり面を有し」、「前記掃除機本体が、前記第１の転がり面又は前記第２の転がり面が床面に接するよう傾いても、前記一対の車輪が床面に接地する方向に前記掃除機本体が回動して元に戻るように前記掃除機本体の重心を設けた」ものであるのに対して、引用発明２は、周辺部材３０ａ、３０ｂが「堅い筒状の筐体１１を含む真空掃除機の内部構造の全てを全体的に囲」んでおり、重心がどのように設けられるかも不明である点。
　
　そこで、上記相違点について検討する。
ア．本件特許発明１は掃除機本体が第２の転がり面を有するものであって、当該第２の転がり面は床面に接するように、掃除機本体が傾くものである。
　そして、第２の転がり面が、床面に接するような、掃除機本体に形成された転がる面であることは、上記（１）で述べたとおりである。
　引用発明２は、膨張可能な周辺部材３０ａ、３０ｂに関して、「その外包は、空気排出手段２０と共に空気吸入手段１２、１２ａ、空気フィルター手段１３、２６、モーター１２ａ、タービン１２、堅い筒状の筐体１１を含む真空掃除機の内部構造の全てを全体的に囲む」ものである。そうすると、筐体１１が床面に接する転がり面を有するものとはいえない。
　
イ．重心について、請求人は、甲第２号証の図４が中心線と一致する回転軸Ｉ−Ｉを含む水平面における断面図であって、タービン１２、モーター１２ａ等は断面として表されていないから水平面より下側にこれら重い内部機構が配置されていると主張する。
　しかしながら、図４は長手方向断面とするのみで、回転軸Ｉ−Ｉを含むものとも水平面におけるものともしていないこと、
図５、６及び８には、中央に空気入口２４が配される様子が図示されていて、回転軸Ｉ−Ｉを含む水平面であれば、空気入口２４が断面図として示されるといえるところ、図４には空気吸入筒２５、空気入口２４及び空気入口２４に続く部品の外形が見える様子が図示されているから、回転軸Ｉ−Ｉを含む水平面の断面図とは直ちにはいえないこと、
図４には、大径のタービン１２やモーター１２ａのタービン側の（黒塗りされた）部分は外形が見えるものの、タービン１２より小径であるモーター１２ａのタービン１２と反対側の部分はそのケースが一部切り欠かれ、モーター１２ａ内の構造の一部が見える様子が図示されていて、真空掃除機のタービンやモーターの技術常識からみて水平面における断面図とも言い難いこと、
さらに図４は特許図面であって、説明のために図面にすぎず、正確な設計図ではないこと等を合わせ考えると、タービンやモータが下側に配置されるものとまではいえないから、重心が下側にあるとはいえない。
　さらに、掃除機において直立姿勢が安定して走行するために必要であることが自明であるとしても、重心の位置以外にも車輪の配置等で安定させることも知られることから、重心を下側にすることでそれを達成しようとすることまで、甲第２号証に記載の掃除機において自明のこととはいえない。しかも引用発明２は一対の半球状の周辺部材３０ａ、３０ｂからなるものであって、そのような一般的でないものにおいてまで、下半分に重心を設けることが記載されていたに等しいとまではいえない。
　
ウ．小括
　上記ア．及びイ．のとおりであるから、本件特許発明１と引用発明２とは相違するので、本件特許発明１が甲第２号証に記載された発明であるとはいえない。
　
（３）甲第２号証に記載された発明（引用発明２）から当業者が容易に発明をすることができたについて
　上記（２）で述べた相違点について、検討する。
　引用発明２は、膨張可能な周辺部材３０ａ、３０ｂに関して、「その外包は、空気排出手段２０と共に空気吸入手段１２、１２ａ、空気フィルター手段１３、２６、モーター１２ａ、タービン１２、堅い筒状の筐体１１を含む真空掃除機の内部構造の全てを全体的に囲む」ものであり、そのことによって「真空掃除機と周辺の家具のような他のものとの間の衝突により生ずる損傷を最小化し又は除去するよう適合された保護構造とを有する内部構造からなる家庭のゴミ用の移動真空掃除機」（第６の２．（１））を得るものである。
　そうすると、引用発明２が上記の目的を達成するためにのものである以上、堅い筒状の筐体１１に床面に接するような転がり面を設けることが、当業者が容易にできたとはいえない。
　したがって、本件特許発明１は、甲第２号証に記載された発明に基づいて当業者が容易に発明をすることができたとはいえない。
　そして、本件特許発明１は、明細書の段落【００７４】に記載の効果を奏するものである。
　
（４）まとめ
　以上（１）〜（３）で述べたとおり、本件特許発明１は、甲第１号証又は甲第２号証に記載された発明であるとも、又は甲第２号証に記載された発明に基づいて当業者が容易に発明をすることができたものであるともいえない。
　
３．本件特許発明２について
　本件特許発明２は、請求項１に記載されたすべての発明特定事項を引用し、さらに請求項２に記載の事項を限定をするものである。
　そして、請求項１に係る発明である本件特許発明１が、上記２．で述べたとおり、甲第１号証又は甲第２号証に記載された発明であるとも、又は甲第２号証に記載された発明に基づいて当業者が容易に発明をすることができたものであるともいえないから、本件特許発明１のすべての構成要件を引用する本件特許発明２も同様に、甲第１号証又は甲第２号証に記載された発明であるとも、又は甲第２号証に記載された発明に基づいて当業者が容易に発明をすることができたものであるともいえない。
　
４．本件特許発明５について
（１）甲第１号証に記載された発明（引用発明１）であることについて
　本件特許発明５と引用発明１とを対比すると、
後者の「電動機及びファン」は「真空掃除機」に備えられるものであるから、前者の「吸引力を発生する電動送風機」に相当し、後者の「真空掃除機」は「電動機及びファン」を備えるから、前者の「電気掃除機」に相当する。
　また、後者の「電動機及びファンを備えた機構１」は、その機能・構成からみて、前者の「吸引力を発生する電動送風機を内蔵した掃除機本体」に相当し、以下同様に、後者の「ノズル６で終端する可撓性ホース７」は前者の「ホース」に、後者の「機構１の上方に配置され、二つの半球状の殼３、４の内側に取り付けられる集塵袋１０」は前者の「掃除機本体に設け塵埃を集塵する集塵部」に、後者の「床上を回動する、空間５によって分離された、平坦走行路９がともに接地する二つの半球状の殼３、４」は前者の「床面移動用の一対の車輪」にそれぞれ相当する。
　後者の「機構１のファンに連結されたノズル６で終端する可撓性ホース７」は真空掃除機に備えられるものであるから、可撓性ホース７を介してファンにより塵埃を吸い込むものといえ、また、後者は「床上を回動する」「平坦走行路９がともに接地する二つの半球状の殼３、４」を有するから、床面を移動しながら掃除する真空掃除機である。すると、後者は、床面を移動しながら可撓性ホースを介して塵埃を吸引して掃除する真空掃除機であり、このような真空掃除機がホースに続く延長管や吸口体を有することは当業者において技術常識ともいえることから、後者が「機構１のファンに連結されたノズル６で終端する可撓性ホース７」を備えることは、前者が「電動送風機の吸引力にて延長管及びホースを介して被掃除面の塵埃を吸い込むための吸口体」を備えることと実質的に同様であるといえる。
　後者の「空間５によって分離された二つの半球状の殼３、４内で軸部２に、ノズル６を介した可撓性ホースが延出する方向に垂直で且つ水平の方向である、左右の方向の両側で吊されている機構１を備える、床上を回動する、空間５によって分離された、平坦走行路９がともに接地する二つの半球状の殼３、４」とは、機構１がその両側で、軸部２により吊されて、二つの半球状の殼３、４に設けられる状態であるから、前者の「掃除機本体の側面に設けた床面移動用の一対の車輪」に相当する。
　後者の「二つの半球状の殼３、４」について、後者が「機構１の最も重い質量が球体の水平方向の直径の下方に位置するように、機構１がその中に吊るされることで、起き上がりこぼしのようにカウンターウェイトとして動作する」ものであることから、「二つの半球状の殼３、４」の外表面は「起き上がりこぼし」として作用するための面であるといえる。したがって、後者の「二つの半球状の殼３、４」が上記の作用を有する外表面を有することは前者の「前記一対の車輪を転がり面と」することに相当するとともに、後者の「機構１の最も重い質量が球体の水平方向の直径の下方に位置するように、機構１がその中に吊るされること」は前者の「前記掃除機本体が前記転がり面が床面に接するよう傾いても、前記一対の車輪が床面に接地する方向に前記掃除機本体が回動するように前記掃除機本体の重心を設け」ことに相当する。
　さらに後者の「空間５によって分離された二つの半球状の殼３、４」は、「空間５を通して二つの半球状の殼３、４からなる筐体の内側に機構１や集塵袋１０の一部が見え」るようなものであるから、前者の「前記転がり面と前記掃除機本体から形成される外郭形状を略球形状または略球状の多面体にした」こととは、「前記転がり面から形成される外郭形状を略球形状にした」点で共通する。
　したがって、本件特許発明５と引用発明１とは、
「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とし、前記掃除機本体が前記転がり面が床面に接するよう傾いても、前記一対の車輪が床面に接地する方向に前記掃除機本体が回動するように前記掃除機本体の重心を設け、前記転がり面から形成される外郭形状を略球形状にした電気掃除機。」である点で一致し、以下の点で相違する。
相違点：本件特許発明５が「前記転がり面と前記掃除機本体から形成される外郭形状を略球形状または略球状の多面体にした」ものであるのに対して、引用発明１は「空間５によって分離された二つの半球状の殼３、４」を有し、「空間５を通して二つの半球状の殼３、４からなる筐体の内側に機構１や集塵袋１０の一部が見え」るものである点。
　
　そこで、上記相違点について検討する。
ア．「外郭形状」について
　外郭とは、広辞苑によると、「がい‐かく【外郭・外廓】」の項に「外部を囲むかこい。そとぐるわ。　‐だんたい【外郭団体】官庁や政党などの組織の外部にあって、これと連携を保ちその活動や事業を助ける団体。　がいかく‐もん【外郭門】大内裏だいだいり外郭の諸門。」（乙第１号証）と、また、「そと‐ぐるわ【外郭】」の項に「城の最外部にめぐらした郭。がいかく。とぐるわ。郭」（新村出編「広辞苑」第六版、株式会社岩波書店、２００８年１月１１日、Ｐ１６５１）とされている。
　しかしながら、上記のように外郭なる用語は「かこい」や「郭」を想定しているものであるので、本件特許の図面に示されるものや甲第１及び第２号証に示される図面のもののどの部分、或いは形状を、外郭形状というのか、その用語のみでは明確でない。
　つまり、外表面となる線、外形そのものの形状をいうのか、外部に対するかこいを別途に想定し、その形状をいうのか明確でない。
　そこで本件の明細書の発明の詳細な説明や図面を参照しつつ、検討を進める。
　まず、上記広辞苑の記載によると、外郭とは、外部を囲むかこい、最外部にめぐらした郭であることからみて、内部と外部を分けるかこいであるといえる。
　一方、発明の詳細な説明の段落【００１５】に「前記一対の車輪を転がり面とし、・・・（中略）・・・前記転がり面と前記掃除機本体から形成される
外郭形状
外郭線近傍
外郭形状
外郭線近傍
外郭形状
外郭線近傍
外郭形状
　上記記載によると、「転がり面と前記掃除機本体から形成される
外郭形状
外郭線近傍
外郭形状
　ここでいう「
外郭線近傍
　同時に、図１３は一対の車輪５５と突出体５４の間の外形線は、上記二点鎖線より内側に凹んでいる様子が示されており、この外形線の内側に凹んだ部分は、円弧状の二点鎖線より内側に位置するものであって、外郭線とはいえず、外郭が分ける内部となる。
　そして、この外郭線からなる形状が「外郭形状」であるといえる。
　
イ．引用発明１との対応関係
　本件特許発明５の「外郭形状」の解釈は、上記ア．で述べたとおりであるから、引用発明１の「二つの半球状の殼３、４からなる筐体の内側」の「機構１や集塵袋１０の一部」は、「二つの半球状の殼３、４」の外側の半球状の形状からなる「外郭形状」から空間５を通して見える程度に内側にあり、外郭形状を形成するものとはいえない。
　したがって、掃除機本体が外郭形状を形成する本件特許発明５は引用発明１と相違するので、甲第１号証に記載され発明であるとはいえない。
　
（２）甲第２号証に記載された発明（引用発明２）であることについて
　本件特許発明５と引用発明２とを対比すると、
後者の「吸引力を発生する、モーター１２ａにより駆動される吸引タービン１２」は、その機能・構成からみて、前者の「吸引力を発生する電動送風機」に相当し、以下同様に、後者の「筒状の筐体１１」は前者の「掃除機本体」に、後者の「家庭のゴミを含む空気を吸引する空気入口２４に、空気吸入筒２５やそれに続く延長管を介して接続される吸い込み口」は前者の「電動送風機の吸引力にて延長管及びホースを介して被掃除面の塵埃を吸い込むための吸口体」に、後者の「筒状の筐体１１の上流室１５に配されゴミ袋１３」は前者の「掃除機本体に設け塵埃を集塵する集塵部」に、後者の「空気入口２４の軸線に垂直な回転軸線Ｉ−Ｉのまわりで回転可能で、筒状の筐体１１の端部分のまわりで回転し、膨張可能な周辺構造の一部分は真空掃除機が床に置かれる支持面を構成する膨張可能な周辺部材３０ａ、３０ｂ」は前者の「掃除機本体の側面に設けた床面移動用の一対の車輪」にそれぞれ相当する。
　また、後者の「真空掃除機」は「モーター１２ａにより駆動される吸引タービン１２」を有するものであるから前者の「電気掃除機」に相当する。
　さらに、後者の周辺部材３０ａ、３０ｂが「輪状の溝３０ｃにより相互に分離される、球形のドーム型のような連続的な外包型であって、その外包は、空気排出手段２０と共に空気吸入手段１２、１２ａ、空気フィルター手段１３、２６、モーター１２ａ、タービン１２、堅い筒状の筐体１１を含む真空掃除機の内部構造の全てを全体的に囲む」ものであることは、その形状からみて、前者の「一対の車輪を転がり面と」することに相当する。
　
　したがって、本件特許発明５と引用発明２とは、
「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とした電気掃除機。」である点で一致し、以下の点で相違する。
相違点：本件特許発明５が、「前記掃除機本体が前記転がり面が床面に接するよう傾いても、前記一対の車輪が床面に接地する方向に前記掃除機本体が回動するように前記掃除機本体の重心を設け」、「前記転がり面と前記掃除機本体から形成される外郭形状を略球形状または略球状の多面体にし」ているのに対して、引用発明２は、周辺部材３０ａ、３０ｂが「堅い筒状の筐体１１を含む真空掃除機の内部構造の全てを全体的に囲」んでおり、重心がどのようなものであるかも不明である点。
　
　そこで、上記相違点について検討する。
ア．「転がり面と前記掃除機本体から形成される外郭形状を略球形状または略球状の多面体にし」ていることについて
　引用発明２は、空気入口２４を周辺溝３０ｃの内側に配置する（第６の２．（７））から、輪状の溝３０ｃの内側に空気入口２４を有する筒状の筐体１１が配されるものといえる。
　さらに、引用発明２は、膨張可能な周辺部材３０ａ、３０ｂに関して、「その外包は、空気排出手段２０と共に空気吸入手段１２、１２ａ、空気フィルター手段１３、２６、モーター１２ａ、タービン１２、堅い筒状の筐体１１を含む真空掃除機の内部構造の全てを全体的に囲む」ものでもある
　そうすると、本件特許発明５の「外郭形状」については、上記（１）ア．で述べたようであるから、引用発明２において、輪状の溝３０ｃの内側に配置される筒状の筐体１１が、球形のドーム型のような連続的な外包型である膨張可能な周辺部材３０ａ、３０ｂの外面を延長するように延長した「外郭形状」を形成するものとはいえない。
　
イ．「前記掃除機本体が前記転がり面が床面に接するよう傾いても、前記一対の車輪が床面に接地する方向に前記掃除機本体が回動するように前記掃除機本体の重心を設け」ることについて
　上記２．（２）イ．で述べたと同様に、重心を下側に配し、上記本件特許発明５の構成としたものであるとはいえない。
　
ウ．小括
　上記ア．及びイ．のとおりであるから、本件特許発明５と引用発明２とは相違するので、本件特許発明５が甲第２号証に記載された発明であるとはいえない。
　
（３）甲第２号証に記載された発明（引用発明２）から当業者が容易に発明をすることができたについて
　上記（２）で述べた相違点について、検討する。
　上記２．（３）で述べたように、引用発明２は、膨張可能な周辺部材３０ａ、３０ｂに関して、「その外包は、空気排出手段２０と共に空気吸入手段１２、１２ａ、空気フィルター手段１３、２６、モーター１２ａ、タービン１２、堅い筒状の筐体１１を含む真空掃除機の内部構造の全てを全体的に囲む」ものであり、そのことによって「真空掃除機と周辺の家具のような他のものとの間の衝突により生ずる損傷を最小化し又は除去するよう適合された保護構造とを有する内部構造からなる家庭のゴミ用の移動真空掃除機」を得るものである。
　そして、引用発明２が上記の目的を達成するためにのものである以上、膨張可能な周辺部材３０ａ、３０ｂにより全体的に囲むことで保護される筒状の筐体１１を、球形のドーム型のような連続的な外包型である膨張可能な周辺部材３０ａ、３０ｂの外面を延長するように延長した「外郭形状」を形成するようなすことが当業者に容易になし得たとはいえない。
　したがって、本件特許発明５は、甲第２号証に記載された発明に基づいて当業者が容易に発明をすることができたとはいえない。
　そして、本件特許発明５は、明細書の段落【００７８】に記載の効果を奏するものである。
　
（４）まとめ
　以上（１）〜（３）で述べたとおり、本件特許発明５は、甲第１号証又は甲第２号証に記載された発明であるとも、又は甲第２号証に記載された発明に基づいて当業者が容易に発明をすることができたものであるともいえない。
　
５．本件特許発明７について
　本件特許発明７は、請求項５に記載されたすべての発明特定事項を引用し、さらに請求項７に記載の事項を限定をするものである。
　そして、請求項５に係る発明である本件特許発明５が、上記４．（１）で述べたとおり、甲第１号証に記載された発明であるとはいえないから、本件特許発明１のすべての構成要件を引用する本件特許発明７も同様に、甲第１号証に記載された発明であるとはいえない。
　
６．本件特許発明６について
　本件特許発明６は、請求項５に記載されたすべての発明特定事項に加え「前記掃除機本体の少なくとも上面に把手等の突出体を形成し、前記突出体は、前記一対の車輪にて形成される略球形状の外郭線近傍に位置し、前記突出体を含む掃除機本体と前記一対の車輪から形成される前記外郭形状が略球形状または略球形状の多面体となるようにした」との発明特定事項を限定するものである。
　したがって、本件特許発明６と引用発明１とを対比すると、４．（１）で対比した事項に加え、本件特許発明６の「前記掃除機本体の少なくとも上面に把手等の突出体を形成し、前記突出体は、前記一対の車輪にて形成される略球形状の外郭線近傍に位置し、前記突出体を含む掃除機本体と前記一対の車輪から形成される前記外郭形状が略球形状または略球形状の多面体となるようにし」たことと、引用発明１の「空間５を通って半球体３、４の上方に突出する取っ手１１を有する」こととは、「掃除機本体の少なくとも上面に把手等の突出体を形成し」ていることで共通する。
　よって、本件特許発明６と引用発明１とは、
「吸引力を発生する電動送風機を内蔵した掃除機本体と、前記電動送風機の吸引力にて延長管及びホースを介して被掃除面の塵埃を吸い込むための吸口体と、前記掃除機本体に設け塵埃を集塵する集塵部と、前記掃除機本体の側面に設けた床面移動用の一対の車輪を備え、前記一対の車輪を転がり面とし、前記掃除機本体が前記転がり面が床面に接するよう傾いても、前記一対の車輪が床面に接地する方向に前記掃除機本体が回動するように前記掃除機本体の重心を設け、前記転がり面から形成される外郭形状を略球形状にし、前記掃除機本体の少なくとも上面に把手等の突出体を形成した電気掃除機。」である点で一致し、以下の点で相違する。
相違点：本件特許発明６が「前記転がり面と前記掃除機本体から形成される外郭形状を略球形状または略球状の多面体にした」ものであって、「前記突出体は、前記一対の車輪にて形成される略球形状の外郭線近傍に位置し、前記突出体を含む掃除機本体と前記一対の車輪から形成される前記外郭形状が略球形状または略球形状の多面体となるようにした」ものであるのに対して、引用発明１は「空間５によって分離された二つの半球状の殼３、４」を有し、「空間５を通して二つの半球状の殼３、４からなる筐体の内側に機構１や集塵袋１０の一部が見え」るものであって、取っ手１１は「空間５を通って半球体３、４の上方に突出する」点。
　
　そこで、上記相違点について検討する。
　本件特許発明６の突出体は、「一対の車輪にて形成される略球形状の外郭線近傍に位置」するものであって、「前記突出体を含む掃除機本体と前記一対の車輪から形成される前記外郭形状が略球形状または略球形状の多面体となるようにした」ものである。
　外郭線の「近傍」とはどの程度の範囲を指すのかについては、その用語のみでは明確ではないものの、本件特許発明６に対応する実施例である実施例２の図１３をみると、一対の車輪５５の外側の円弧状の外形線を延長するようにつなぐ、円弧状の二点鎖線が示され、その二点鎖線に突出部５４の上端が一致する様子が図示されている。
　また、その効果として段落【００７９】に「掃除機本体を大きくすることなく、突出体を把手部等に形成することができる。」と記載されている。
　さらに、「前記突出体を含む掃除機本体と前記一対の車輪から形成される前記外郭形状が略球形状または略球形状の多面体となるようにした」ものであるから、「近傍」と言っても、「外郭線」でもある「一対の車輪から形成される外郭形状」から外れるものではない。
　したがって、本件特許発明６の「近傍」とは、「掃除機本体を大きくすることなく、突出体を把手部等に形成することができる」程度の範囲であって、「一対の車輪から形成される外郭形状」から外れるものではないものといえる。
　そうすると、引用発明１の取っ手１１が「空間５を通って半球体３、４の上方に突出する」もので、「この取っ手は、有利には、電源コード８をこの取っ手の回りに巻き付けることができるように、二つの耳１１ａ、１１ｂを有する。」（第６の１．（４））と耳１１ａ、１１ｂを付けることで電源コード８を巻き付けることができる程度に突出するものであるから、引用発明１の取っ手１１は、本件特許発明６の突出体の、「前記一対の車輪にて形成される略球形状の外郭線近傍に位置し、前記突出体を含む掃除機本体と前記一対の車輪から形成される前記外郭形状が略球形状または略球形状の多面体となるようにした」こととは異なるものである。
　以上のとおり、本件特許発明６は引用発明１とは相違するので、本件特許発明６は甲第１号証に記載された発明であるとはいえない。
　
第８　むすび
　上記第２で述べたとおりであるから、本件訂正は認める。
　また、上記第７で述べたとおりであるから、請求人の主張及び証拠方法によっては本件特許の請求項１、２及び５〜７に係る発明の特許を無効とすることはできない。
　審判に関する費用については、特許法第１６９条第２項の規定で準用する民事訴訟法第６１条の規定により、請求人が負担すべきものとする。
　よって、結論のとおり審決する。